(57)【要約】      （修正有） 【課題】ゴミ袋を安定した形態で支持することができるゴミ袋支持装置を提供する。【解決手段】ゴミ袋支持装置１０の主体は、上部開口１０２をもつプラスチック製の容器１００である。容器１００は、上部開口１０２を区画する縁部分１１０と、その離れた下部にあり、上部開口１０２に向かい合う底部を構成する底部分１２０とを備える。そして、下部の底部分１２０と上部の縁部分１１０とを連結する側部分１３０を備える。ゴミ袋２０を支持するのに際し、開口のある上部の開口縁２２の部分で支持するだけでなく、ゴミ袋２０の下部の部分を保持手段３０によって支持する。容器１００の底部分１２０に貫通孔１４０を設け、その貫通孔１４０の対向する各壁面に突出部材を設ける。向かい合う突出部材は、保持手段として、両者間にゴミ袋２０の下部を挟み込むように支持する。【選択図】図１
0003227098.tif 000002
【実用新案登録請求の範囲】
【請求項１】
上部に開口があり、下部が閉じたゴミ袋を支持するためのゴミ袋支持装置であり、次のＡ〜Ｆの各構成および各条件をすべて備える、ゴミ袋支持装置。
Ａ  一周を取り囲む形態であり、上部に上部開口を区画する縁部分。
Ｂ  その縁部分から離れた下部にあり、上部開口に向かい合う底部を構成する底部分。
Ｃ  下部の底部分と上部の縁部分とを連結する側部分。
Ｄ  ゴミ袋の上部の開口縁を前記縁部分に支持した形態で、側部分の内側空間にゴム袋を収容することができること。
Ｅ  前記底部分には内側から外側にまで貫通する貫通孔があり、その貫通孔が、ゴミ袋を取り扱う人の指が入り込む構成であること。
Ｆ  その底部分の貫通孔の部分に、ゴミ袋の下部を挟み込むように保持する保持手段があること。
【請求項２】
前記貫通孔は、幅がＷの大きさ、長さがＬの大きさで、Ｗ＜Ｌの関係がある、長さ方向に長い形状であり、前記底部分の内周壁面が、その長い形状を定める、請求項１のゴミ袋支持装置。
【請求項３】
前記貫通孔の内周壁面は、長さ方向に沿って互いに並行する第１および第２の壁面を含む、請求項２のゴミ袋支持装置。
【請求項４】
前記第１および第２の壁面は、互いに対向する二壁面であり、それらの二壁面には、それぞれ、一方の壁面から他方に伸びる複数の突出部材があり、第１の壁面側の突出部材と第２の壁面側の突出部材とが前記保持手段を構成する、請求項３のゴミ袋支持装置。
【請求項５】
前記第１の壁面側の突出部材および第２の壁面側の突出部材は、自らが弾性変形し、その弾性変形により、前記ゴミ袋の下部を挟み込むように保持する保持力を生じる、請求項４のゴミ袋支持装置。
【考案の詳細な説明】
【技術分野】
【０００１】
この考案は、上部に開口があり、下部が閉じたゴミ袋を支持するためのゴミ袋支持装置であり、特に、ゴミ袋を安定した状態に支持することに着目した技術に関する。
【背景技術】
【０００２】
ゴミ袋は、日常生活における必需品の一つである。多くのゴミ袋はポリエチレン製であり、その厚さが０．０２〜０．０４ｍｍほどであり、柔軟性に富んでいる。ゴミ袋は、その名のとおり、ゴミを入れる袋であり、通常、上部にゴミを入れる開口があり、下部を含むその他の部分は閉じている。
【０００３】
このようなゴミ袋の用途はいろいろある。たとえば、愛犬家は、散歩途中で犬が排便した糞をゴミ袋に収容して持ち帰る。また、車中のゴミ箱として、ゴミ袋が活躍する。さらに、家庭内の流しや風呂場の隅に、ゴミ袋を見出す。
【０００４】
このような多くの用途において、ゴミ袋は、上部の開口を開いた状態に支持される。たとえば、ペット用糞取り器具を示す特許文献１は、柄の先にあるリング状の枠に、ゴミ袋の上部を折り返すように支持している。別の特許文献２は、車中のゴミ箱として、車体の固定部分にリング状の枠を設け、その枠にゴム袋の開口を開いた状態でゴミ袋を吊り下げるように支持している。
【先行技術文献】
【特許文献】
【０００５】
【特許文献１】特開２０１３−１３２２９１号公報
【特許文献２】実開平６−４４６３１号公報
【考案の概要】
【考案が解決しようとする課題】
【０００６】
以上に示した先行技術によれば、ゴミ袋の上部開口を開いた状態で支持していることから、犬の糞を含むゴミ類を入れやすく、しかもまた、ゴミ袋の交換も容易であるという利点を得ることができる。
【０００７】
しかし、そのような先行技術は、ゴミ袋の開口のある上部だけを支持する構成であるため、ゴミ袋を安定した状態に支持する上で難点がある。室外で用いるゴミ袋は、強い風に吹かれれば、飛ばされてしまうおそれがあるし、風によりゴミ類を入れにくい形になってしまう。また、車中や室内で用いる場合、風の影響を受けないとしても、ゴミ類が入ることにより、ゴミ袋が下方に長く垂れ下がったり、ゴミの重さにより支持が外れてしまうおそれがある。
【０００８】
そこで、この考案は、ゴミ袋をより安定した形態で支持することができるゴミ袋支持装置を提供することを目的とする。
【０００９】
また、この考案は、ゴミ類が入ったゴミ袋の取外し、および新しい空のゴミ袋の取付けを容易に行うことができるゴミ袋支持装置を提供することを他の目的とする。この考案のさらなる目的については、今後の説明から明らかになるであろう。
【課題を解決するための手段】
【００１０】
この考案のゴミ袋支持装置は、上部に開口があり、下部が閉じたゴミ袋を安定した状態で支持するため、開口のある上部側だけでなく、閉じた下部側をも支える構成にする。そのようなゴミ袋支持装置は、基本的に、次のＡ〜Ｆの各構成および各条件をすべて備える。
Ａ  一周を取り囲む形態であり、上部に上部開口を区画する縁部分。
Ｂ  その縁部分から離れた下部にあり、上部開口に向かい合う底部を構成する底部分。
Ｃ  下部の底部分と上部の縁部分とを連結する側部分。
Ｄ  ゴミ袋の上部の開口縁を前記縁部分に支持した形態で、側部分の内側空間にゴム袋を収容することができること。
Ｅ  前記底部分には内側から外側にまで貫通する貫通孔があり、その貫通孔が、ゴミ袋を取り扱う人の指が入り込む構成であること。
Ｆ  その底部分の貫通孔の部分に、ゴミ袋の下部を挟み込むように保持する保持手段があること。
すなわち、この考案のゴミ袋支持装置は、ゴミ袋の上部の開口縁を支持することに加えて、保持手段がゴミ袋の下部を支持する。
【００１１】
底部分の貫通孔は、ゴミ袋のセットを容易にする点から、一つが好ましいが、一つの穴を二分する構成にすることもできる。そのような貫通孔は、幅がＷの大きさ、長さがＬの大きさで、一般的に、Ｗ＜Ｌの関係がある、長さ方向に長い形状である。その長い形状を定めるのは、底部分の内周壁面である。貫通孔の内周壁面は、長さ方向に沿って互いに並行する第１および第２の壁面を含み、ゴミ袋をセットするとき、それらの壁面の間に、ゴミ袋をセットする人の指先が入り込む。
【００１２】
保持手段は、ゴミ袋の下部を挟み込むようにして保持する構成である。保持手段の代表的なものは、互いに対向する二壁面の各壁面から対向する側に伸びる複数の突出部材である。突出部材としては、弾力性のあるブラシの毛、または、スポンジやゴム製ののこぎり歯形状の片がある。
【００１３】
互いに向かい合う各壁面から伸びる第１および第２の各突出部材は、自らが弾性変形し、その弾性変形により、ゴミ袋の下部を挟み込むように保持する保持力を生じる。突出部材を主体とした保持手段は、ゴミ袋の保持を適切に行う点で好ましい。しかし、保持手段としては、ゴム材料にスリットを入れた形態、あるいは、複数のゴム製の糸、細いベルトを並列させた形態などを適用することもできる。
【００１４】
保持手段としては、適正な保持力を生じることに留意すべきであるが、そのほか、保持に伴なって、ゴミ袋の内側に、上部の開口に連絡する広い内部空間が作られるようにすることにも留意すべきである。
【図面の簡単な説明】
【００１５】
【図１】この考案のゴミ袋支持装置の一実施例を示す模式図である。
【図２】図１に示す実施例の上面図であり、保持手段の第１の例を示している。
【図３】図２と同様の上面図であり、保持手段の第２の例を示している。
【図４】図２と同様の上面図であり、保持手段の第３の例を示している。
【図５】図２と同様の上面図であり、保持手段の第４の例を示している。
【考案を実施するための形態】
【００１６】
図１は、ゴミ袋支持装置１０に対し、ポリエチレン製の通常のゴミ袋２０をセットした状態を示す。ゴミ袋支持装置１０の主体は、上部開口１０２をもつプラスチック製の容器１００である。容器１００は、上部開口１０２を区画する縁部分１１０と、その離れた下部にあり、上部開口１０２に向かい合う底部を構成する底部分１２０とを備える。そして、下部の底部分１２０と上部の縁部分１１０とを連結する側部分１３０を備える。側部分１３０は、底部分１２０と相俟って、容器１００の内部に、所定の収容空間を形作っている。
【００１７】
容器１００は、比較的に底が浅い。それにより、犬が排便する糞を容器１００内にキャッチしやすくしている。図には示さないが、このような容器１００は、適正な長さの柄の先端に位置し、糞を処理する飼い主は、立ち姿勢のまま犬の糞をキャッチすることができる。
【００１８】
糞の処理を容易にするため、容器１００の内部空間にゴミ袋２０をセットする。ゴミ袋２０のセットに際しては、ゴミ袋２０の全体を容器１００の内部空間に入れた状態で、ゴミ袋２０の上部の開口縁２２を、容器１００の縁部分１１０に折り返すように取り付ける。
【００１９】
そのようにゴミ袋２０の上部を容器１００側に取り付けることは一般的である。しかし、この考案のゴミ袋支持装置１０は、ゴミ袋２０の上部における取付け支持に加えて、ゴミ袋２０の下部をも支持する構成である。下部を支持するため、ゴミ袋支持装置１０は、容器１００の底部分１２０に、保持手段３０を備える。保持手段３０は、ゴミ袋２０の下部を挟み込むように保持する機能をもつ。
【００２０】
この考案では、保持手段３０による保持操作を容易にするための工夫をしている。その工夫とは、容器１００の底部分１２０に、底部分１２０の内側から外側にまで貫通する貫通孔１４０を設け、その貫通孔１４０に指を入れるだけでゴミ袋２０の下部を自ずと保持できるようにしたことである。
【００２１】
図２〜図５は、保持手段３０のいくつかの例を示す上面図である。それらに示すように、容器１００は、上から見るとほぼ四角形であり、その底部分１２０の中央に貫通孔１４０がある。貫通孔１４０は、容器１００の形状と同様、幅に比べて長さ方向の長さの方が大きく、幅が容器１００の幅、つまりは、底部分１２０の幅の１／３強の大きさであるのに対し、長さは幅の２倍強の大きさであり、容器１００の長さに近い大きさである。  
【００２２】
貫通孔１４０の内周壁面には、長さ方向に沿って互いに並行する第１の壁面１４１および第２の壁面１４２がある。図２に示す第１例では、第１および第２の各壁面１４１，１４２から、それぞれ対向する壁面側に向かって伸びる毛状の突出部材３１０を複数含む。各壁面１４１，１４２からの突出部材３１０の各先端は、他方の側の互いに隣り合う突出部材３１０，３１０間にわずかに入り込んでいる。そこで、容器１００内のゴミ袋２０の底部を指先で貫通孔１４０内に押し込むと、ゴミ袋２０の下部は、各壁面１４１，１４２からの突出部材３１０の間に挟み込まれるように自ずと保持される。毛状の突出部材３１０は、適度に弾性変形するため、その変形に伴う保持力を得ることができる。
【００２３】
図３の第２例では、毛状の突出部材３１０に代わり、のこぎり歯形状の突出部材３２０によって、保持手段３０を構成している。各突出部材３２０は、のこぎりの歯形状の部分３２０ａ，３２０ｂを連続的に備えている。このような突出部材３２０は、容器１００の材料よりも変形しやすい材料、たとえば、スポンジやゴムによって構成することが好ましい。しかし、その場合でも、各突出部材３２０は、容器１００と一体に成形することができる。貫通孔１４０内に押し込まれるゴミ袋２０の下部は、各突出部材３２０の歯形状の部分３２０ａ，３２０ｂに弾性力により保持される。
【００２４】
図４の第３例では、貫通孔１４０の中を長手方向に伸びる、３本のゴム製の糸あるいは細ベルトによる突出部材３３０によって、保持手段３０を構成している。
【００２５】
図５の第４例では、貫通孔１４０をふさぐように取り付けたスリット３４２付きのゴム薄板による突出部材３４０によって、保持手段３０を構成している。ゴミ袋２０の下部は、スリット３４２の中に入り込み、ゴム薄板製の突出部材３４０によって、他の例と同様、変形に伴う弾性力により自ずと保持される。
【００２６】
この考案のゴミ袋支持装置１０は、ゴミ袋２０の上部だけでなく、下部をも支持する構成であるため、ゴミ袋２０を安定した状態に支持することができる。また、追加した下部の支持を、突出部材の変形に伴う弾性力により行うようにしているため、ゴミ袋の新たなセット、交換に伴うセットを容易に行うことができる。
【００２７】
なお、この考案は、密封性の一般的なゴミ袋２０だけでなく、網目状で通水性のゴミ袋などにも適用することができる。また、容器１００の側部分１３０として、窓のない構造を示したが、窓のある構造、あるいはフレーム構造にすることもできる。
【００２８】
また、この考案のゴミ袋支持装置１０は、ゴミ袋２０の用途に応じて、容器１００に対して付加的な構成を加えることができる。たとえば、犬の糞取りに用いる場合、容器１００に柄を取り付けることができ、また、流しや風呂場で用いる場合、容器１００に対して、取付け用の吸盤を設けることができ、さらに、部屋の片隅に置く場合、容器１００を載せる台やスタンドを併せて用いることができる。
【００２９】
さらにまた、ゴミ袋２０の下部を挟み込むようにして保持する保持手段３０としては、図に示した各例のように、いろいろなものを適用することができる。しかし、その保持力は、ゴミ袋２０の交換をスムーズに行う上から比較的小さく設定するのが良い。たとえば、犬の糞取り用に適用するとき、ゴミ袋２０が風で吹き飛ばされない程度の大きさにすることを考慮しつつ、糞が入ったゴミ袋２０をよりスムーズに取り外しできるような弱い保持力にするのが良い。弱い保持力を得る点からすれば、毛状の突出部材３１０を用いる例が好ましい。しかし、のこぎり歯形状の突出部材３２０を用いる例を含む、他の例においても、用いる材料、突出部材の配置、突出部材間のすき間の大きさなどを変えることにより、保持力を適正にコントロールすることができる。
【符号の説明】
【００３０】
１０  ゴム袋支持装置
１００  容器
１０２  上部開口
１１０  縁部分
１２０  底部分
１３０  側部分
１４０  貫通孔
２０  ゴミ袋
２２  開口縁
３０  保持手段
３１０  毛状の突出部材
３２０  のこぎり歯形状の突出部材
【図１】
0003227098.tif 000003
【図２】
0003227098.tif 000004
【図３】
0003227098.tif 000005
【図４】
0003227098.tif 000006
【図５】
0003227098.tif 000007
【手続補正書】
【提出日】令和2年4月22日(2020.4.22)
【手続補正１】
【補正対象書類名】実用新案登録請求の範囲
【補正対象項目名】全文
【補正方法】変更
【補正の内容】
【実用新案登録請求の範囲】
【請求項１】
上部に開口があり、下部が閉じたゴミ袋を支持するためのゴミ袋支持装置であって、
（Ａ）一周を取り囲む形態であり、上部に上部開口を区画する縁部分、
（Ｂ）その縁部分から離れた下部にあり、上部開口に向かい合う底部を構成する底部分、
（Ｃ）下部の底部分と上部の縁部分とを連結する側部分、
（Ｄ）ゴミ袋の上部の開口縁を前記縁部分に支持した形態で、側部分の内側空間にゴム袋を収容することができること、
（Ｅ）前記底部分には内側から外側にまで貫通する貫通孔があり、その貫通孔が、ゴミ袋を取り扱う人の指が入り込む構成であること、
（Ｆ）その底部分の貫通孔の部分に、ゴミ袋の下部を挟み込むように保持する保持手段があること、
以上の（Ａ）〜（Ｆ）の各構成および各条件をすべて備える、ゴミ袋支持装置。
【請求項２】
前記貫通孔は、幅がＷの大きさ、長さがＬの大きさで、Ｗ＜Ｌの関係がある、長さ方向に長い形状であり、前記底部分の内周壁面が、その長い形状を定める、請求項１のゴミ袋支持装置。
【請求項３】
前記貫通孔の内周壁面は、長さ方向に沿って互いに並行する第１および第２の壁面を含む、請求項２のゴミ袋支持装置。
【請求項４】
前記第１および第２の壁面は、互いに対向する二壁面であり、それらの二壁面には、それぞれ、一方の壁面から他方に伸びる複数の突出部材があり、第１の壁面側の突出部材と第２の壁面側の突出部材とが前記保持手段を構成する、請求項３のゴミ袋支持装置。
【請求項５】
前記第１の壁面側の突出部材および第２の壁面側の突出部材は、自らが弾性変形し、その弾性変形により、前記ゴミ袋の下部を挟み込むように保持する保持力を生じる、請求項４のゴミ袋支持装置。